(57)【特許請求の範囲】
【請求項１】
上下端面が開口している支持体と、該支持体の少なくとも上端側を上下動可能に被う外装体と、前記外装体を上方に向けて付勢する弾性体と、前記外装体に回転可能に支持された印判体と、前記支持体の内部に収容されたインク供給体とを備え、前記外装体が前記支持体に対して上下動することに伴って、前記印判体が、前記インク供給体と当接するインク供給位置と、前記印判体の印面が支持体の下端開口から露出する捺印可能位置とに切り替わる自動着肉式スタンプにおいて、
前記外装体が前記支持体に対して上下動するのを防止するためのロック機構を備え、
前記外装体は、前記印判体が前記インク供給位置にある状態で、前記支持体の少なくとも上端側を被う胴部と、前記胴部の一端と同心で回動可能に嵌着された蓋部とを有しており、
前記胴部には内外を連通させる外装体側窓部が設けられ、
前記支持体には、前記外装体が下方向に移動した状態で、該外装体側窓部と重なる支持体側窓部が設けられ、
前記ロック機構は、前記蓋部及び前記支持体のいずれか一方に設けられた突起と、前記蓋部及び前記支持体のいずれか他方に前記突起に対応するように設けられた第一係止溝とで構成されており、
前記外装体側窓部が前記支持体側窓部に重なった状態で、前記蓋部を前記胴部に対して回転させることにより、前記突起が前記第一係止溝に係合し、前記外装体の前記支持体に対する上下動を規制することを特徴とする自動着肉式スタンプ。
【請求項２】
前記第一係止溝が設けられた前記蓋部と前記支持体のいずれか一方には、前記印判体が前記インク供給位置にある状態で、前記蓋部を前記胴部に対して回転させることにより、前記外装体の前記支持体に対する上下動を規制するように、前記突起が係合可能な第二係止溝が形成されていることを特徴とする請求項１に記載の自動着肉式スタンプ。
【発明の詳細な説明】
【技術分野】
【０００１】
本発明は、自動着肉式スタンプに関し、さらに詳しくは、捺印の前にインク供給体中のインクを印面に付着させる動作を機械的に行う自動着肉式スタンプに関する。
【背景技術】
【０００２】
インクが印判体の印面に自動的に供給されるタイプのスタンプとして、印判体が、インク供給位置と捺印可能位置との間で上下動しながら反転する自動着肉式スタンプがある（例えば、特許文献１）。
かかる自動着肉式スタンプにおいては、上下端面が開口している支持体と、該支持体の少なくとも上端側を被う外装体と、外装体を上方に向けて付勢する弾性体と、外装体に回転可能に支持された印判体と、支持体の内部に収容されたインク供給体とを備えている。そして、この種の自動着肉式スタンプでは、インク供給体がスタンプ本体に着脱可能に取り付けられており、かかる外装体が支持体に対して上下動することに伴って、印判体が、インク供給体と当接するインク供給位置と、印判体の印面が支持体の下端開口から露出する捺印可能位置とに切り替わるようになっている。
【先行技術文献】
【特許文献】
【０００３】
【特許文献１】実用新案登録第３１４１１７８号
【発明の概要】
【発明が解決しようとする課題】
【０００４】
ところで、かかる自動着肉式スタンプは、インク供給体中にインクを補充する際に、その都度スタンプ本体からインク供給体を外してインクを補充する必要があるため、着脱動作の面倒くささを生じたり、スタンプ本体にインク供給体を挿入する向きが決まっているために、インク供給体の装着性に戸惑いを生じたりすることがある。また、インク供給体中にインクを補充する際に、インク供給体を誤って落下させてしまう場合がある。そのため、インクを補充する際に、インク供給体の着脱を伴わない自動着肉式スタンプが望まれている。
そこで、本発明は、斯かる実情に鑑み、スタンプ本体からインク供給体を外す必要がなく、インク供給体中にインクを補充することができる自動着肉式スタンプを提供することを課題とする。
【課題を解決するための手段】
【０００５】
本発明の自動着肉式スタンプは、上下端面が開口している支持体と、該支持体の少なくとも上端側を上下動可能に被う外装体と、外装体を上方に向けて付勢する弾性体と、外装体に回転可能に支持された印判体と、支持体の内部に収容されたインク供給体とを備え、外装体が支持体に対して上下動することに伴って、印判体が、インク供給体と当接するインク供給位置と、印判体の印面が支持体の下端開口から露出する捺印可能位置とに切り替わる自動着肉式スタンプにおいて、外装体が支持体に対して上下動するのを防止するためのロック機構を備え、外装体は、印判体がインク供給位置にある状態で、支持体の少なくとも上端側を被う胴部と、胴部の一端と同心で回動可能に嵌着された蓋部とを有しており、胴部には内外を連通させる外装体側窓部が設けられ、支持体には、外装体が下方向に移動した状態で、該外装体側窓部と重なる支持体側窓部が設けられ、ロック機構は、蓋部及び支持体のいずれか一方に設けられた突起と、蓋部及び支持体のいずれか他方に突起に対応するように設けられた第一係止溝とで構成されており、外装体側窓部が支持体側窓部に重なった状態で、蓋部を胴部に対して回転させることにより、突起が第一係止溝に係合し、外装体の支持体に対する上下動を規制することを特徴とする。
【０００６】
上記構成からなる自動着肉式スタンプによれば、外装体を支持体に対して下向きに移動させて、外装体側窓部が支持体側窓部に重なった状態で、蓋部を胴部に対して回転させることで、突起が第一係止溝に係合され、外装体が支持体に対して上下動するのを規制されて、外装体側窓部と支持体側窓部の開放が維持される。このような状態では、弾性体の付勢力が外装体に作用した場合であっても、支持体に対する外装体のロック状態が維持されて、外装体側窓部と支持体側窓部とが重なって開放されたままとなる。この開放された外装体側窓部及び支持体側窓部から、インクをインク供給体に補充することが可能である。このような構成によって、スタンプ本体からインク供給体を外す必要がなく、インク供給体中にインクを補充することができる。
【０００７】
本発明の自動着肉式スタンプにおいては、第一係止溝が設けられた蓋部と支持体のいずれか一方には、印判体がインク供給位置にある状態で、蓋部を胴部に対して回転させることにより、外装体の支持体に対する上下動を規制するように、突起が係合可能な第二係止溝が形成されていることが好ましい。
【０００８】
上記構成からなる自動着肉式スタンプによれば、印判体がインク供給位置にある状態で、蓋部を胴部に対して回転させることで、突起が第二係止溝に係合されて、外装体が支持体に対して上下動するのを規制される。これにより、携帯時や収納時においても、支持体に対する外装体のロック状態が使用者の意に反して解除されることを防止できるため、携帯時や収納時において外装体が使用者の意に反して上下動して印判体の印面が露呈することを防止し、手や衣服がインクにより汚れることを防止することができる。
【発明の効果】
【０００９】
以上のように、本発明の自動着肉式スタンプによれば、スタンプ本体からインク供給体を外す必要がなく、インク供給体中にインクを補充することができる。
【図面の簡単な説明】
【００１０】
【図１】本発明の一実施形態にかかる自動着肉式スタンプの外観を示す斜視図である。
【図２】同実施形態にかかる自動着肉式スタンプの外観を示す図であって、（ａ）は正面図、（ｂ）は左側面図、（ｃ）は背面図である。
【図３】同実施形態にかかる自動着肉式スタンプの分解図であって、（ａ）は、正面図、（ｂ）は左側面図、（ｃ）は背面図である。
【図４】同実施形態にかかる自動着肉式スタンプの捺印動作時における反転機構の概略説明図であって、（ａ）は、印判体が上向きの状態を示す図、（ｂ），（ｃ）は、印判体が反転している状態を示す図、（ｄ）は、印判体が下向きの状態を示す図である。
【図５】同実施形態にかかる自動着肉式スタンプのロック機構によるロック動作の説明図であって、（ａ）は、印判体がインク供給位置にある状態を示す図、（ｂ）は、外装体が支持体に対して下向きに移動している状態を示す図、（ｃ）は、印判体が捺印可能位置にある状態を示す図である。
【図６】同実施形態にかかる自動着肉式スタンプの収納時及び捺印時におけるロック機構によるロック状態を示す図であって、（ａ）は、印判体がインク供給位置にある状態で、外装体が支持体に対してロックされた状態を示す図、（ｂ）は、印判体がインク供給位置にある状態で、外装体が支持体に対して上下動可能な状態を示す図、（ｃ）は、外装体の外装体側窓部と支持体の支持体側窓部とが重なったまま、外装体が支持体に対してロックされた状態を示す図である。
【発明を実施するための形態】
【００１１】
以下、本発明の一実施形態にかかる自動着肉式スタンプについて、図面を参照しながら詳細に説明する。なお、自動着肉式スタンプ１を直立させた際の外装体３側を上とし、支持体２側を下とする。
【００１２】
図１乃至図３に示すように、自動着肉式スタンプ１は、上下端面が開口している支持体２と、該支持体２の少なくとも上端側を被う外装体３と、外装体３を支持体３に対して付勢する弾性体４と、外装体３に回転可能に支持された印判体５と、支持体２の内部に収容されたインク供給体６と、外装体３が支持体２に対して上下動するのを防止するためのロック機構７とを備える。外装体３が支持体２に対して上下動することに伴って、印判体５が、インク供給体６と当接する支持体２の上端側のインク供給位置と、後述の印判体５の印面５ａが露出する支持体２の下端側の捺印可能位置とに切り替わることで、捺印が行われる。
【００１３】
支持体２は、上下端面が開口した略円筒状を呈している。支持体２の外周面には、後述する外装体３の突起３ｂ１，３ｂ１を上下方向に案内するためのガイド溝８ａ，８ａが形成されている。支持体２の下端側には、該ガイド溝８ａ，８ａと交差する方向に連続して設けられる第一係止溝９ａ，９ａが形成されている。支持体２の上端側には、該ガイド溝８ａ，８ａと交差する方向に連続して設けられる第二係止溝９ｂ，９ｂが形成されている。また、支持体２は、ガイド溝８ａ，８ａの下方に、印判体５を上下方向に案内するためのスリット孔１０ａ，１０ａを有する。さらに、支持体２には、外装体３が支持体２に対して下方向に移動された場合、後述する外装体側窓部１１と重なる支持体側窓部１２が設けられている。支持体２の上端側の正面略中央には、切り欠き部２ａが設けられている。また、スリット孔１０ａ，１０ａには、印判体５を反転させるための回動機構１３が形成されている。回動機構１３については後述する。
【００１４】
外装体３は、捺印の際に、手で押し下げる等してユーザが捺印力を作用させる部材である。外装体３は、下部端が開口した略円筒状の形状を呈している。外装体３は、支持体２を略被うだけの大きさを有する。外装体３は、印判体５がインク供給位置にある状態で、支持体２の少なくとも上端側を被う胴部３ａと、弾性体４を内部に収納し、胴部３ａの一端と同心で回動可能に嵌着された蓋部３ｂとを有する。蓋部３ｂは、有底円筒形状を呈しており、下部端が開口している。蓋部３ｂは、上端面から弾性体４を懸架している。胴部３ａは、略円筒状の形状を呈しており、上下端面が開口している。蓋部３ｂの内周面には突起３ｂ１，３ｂ１が設けられている。胴部３ａには、外装体３が支持体２に対して下方向に移動された場合、前述の支持体側窓部１２と重なる外装体側窓部１１が設けられている。外装体側窓部１１と支持体側窓部１２とは、略同幅になるように形成されている。この外装体側窓部１１及び支持体側窓部１２は捺印時の正確な位置決めをするのにも役立ち、自動着肉式スタンプ１の軽量化にも役立っている。
【００１５】
蓋部３ｂには、外周面の正面側略中央に上下方向に隆起部ｒ１が設けられるとともに、外周面の背面側略中央には略逆三角形状の突部Ｐが設けられている。
【００１６】
胴部３ａの一端側背面には、目印としての突部Ｐ（矢印）の真下の位置に前記突部Ｐとは別の目印としての突起Ｐ１が設けられているとともに、蓋部３ｂの回転方向に突起Ｐ１と一定の距離をなす位置に、突起Ｐ１と略同じ大きさのさらに別の目印としての突起Ｐ２が設けられている。突起Ｐ２の直下方には、「ＬＯＣＫ」と記載されている（以下、「ＬＯＣＫの位置」）。胴部３ａには、外周面の正面側略中央に、蓋部３ｂの隆起部ｒ１と略同幅の隆起部ｒ２が、胴部３ａの一端から他端にかけて設けられる。隆起部ｒ２は、その途中下方部から胴部３ａの他端まで、胴部３ａの前側に突出して設けられている。蓋部３ｂが胴部３ａに嵌着された場合、蓋部３ｂの隆起部ｒ１と、胴部３ａの隆起部ｒ２とが連続するようになる。この隆起部ｒ１，ｒ２は、捺印時に手で担持する場合に人差し指等で押圧したり、捺印時の正確な位置決めをしたりするのに役立っている。
【００１７】
胴部３ａの他端側には、前述の印判体５を回動可能に支持するための支持穴１４ａ，１４ａが形成されている。後述するように、印判体５の回転軸突起５ｂ，５ｂが胴部３ａの支持穴１４ａ，１４ａに入り込むことで、印判体５が胴部３ａに回動可能に支持される。
【００１８】
弾性体４は、圧縮ばねであり、外装体３を上方に向けて付勢する。弾性体４は、外装体３の蓋部３ｂとインク供給体６（後述する仕切り壁）とに懸架されている。蓋部３ｂが胴部３ａに嵌着された場合、弾性体４は、蓋部３ｂの内部に収容されるとともに、その一部が後述するインク供給体６の弾性体収容部に収容される。
【００１９】
図３及び図４に示すように、印判体５は、略円盤体形状をなし、少なくとも一部に平坦面を有する。該平坦面が印面５ａとなる。印面５ａには、使用者が指定した文字や絵柄等が形成されている。より具体的には、印判体５は、その左右に平行な回転軸突起５ｂ，５ｂを有する。以下では、印判体５の印面５ａ側を表とし、その反対側を裏とする。印判体５の裏面側には、印面５ａに直交する方向に沿って回転軸突起５ｂ，５ｂの位置から突出する回転凸部５ｃ，５ｃが設けられるとともに、回転軸突起５ｂ，５ｂを補強するリブ５ｄが設けられている。
【００２０】
印判体５は、印面５ａに平行な回転軸突起５ｂ，５ｂを中心に回転するように構成される。印判体５の回転軸突起５ｂ，５ｂが胴部３ａの支持穴１４ａ，１４ａに入り込むことで、印判体５が胴部３ａに回動可能に支持される。外装体３が支持体２に対して上下動（往復動）されると、外装体３が上下動する間に印面５ａの向きが反転されるように回転可能に構成される。より具体的には、印判体５は、外装体３が支持体２の下方まで押し下げられた際に印面５ａが下方を向き、外装体３が支持体２の上方位置（後述のインク供給体６の印面６ａに当接する位置）まで移動された際に印面５ａが上方を向くように構成される。
【００２１】
上記構成の印判体５を反転させるために、支持体２には、回転機構１３が設けられる。図４に示すように、該回転機構１３は、ガイド溝８ａの近傍に設けられ、印判体５の裏面の所定箇所に当接する干渉突起１３ａによって構成される。具体的には、干渉突起１３ａは、ガイド溝８ａを挟んで対称な位置の任意の一方側に設けられる。また、干渉突起１３ａには、上下方向の中間位置に印判体５の回転凸部５ｃを収容可能な凹部１３ｂが設けられている。これにより、印判体５の回転軸突起５ｂ，５ｂが支持体２及び外装体３に対して回転し、且つ、干渉突起１３ａの凹部１３ｂに回転凸部５ｃが入り込み、印判体５が回転凸部５ｃを中心として回転する。
【００２２】
図３に示すように、インク供給体６は、上下端面が開口した略円筒状の形状を呈している。インク供給体６の内側空間には上下中央に仕切り壁（図示せず）が形成されており、インク供給体６の上端部から仕切り壁までの空間は、弾性体４を収容するための弾性体収容部となっている。仕切り壁の下方には朱肉６ａが下向きに設けられており、朱肉６ａにはインクが充填されている。インク供給体６の上端部の略中央には、突起６ｂ，６ｂが設けられている。二つの突起６ｂ，６ｂの幅は、前述の支持体３の切り欠き部２ａと略同幅をなすように形成されている。また、インク供給体６は、支持体２に設けられる上端部開口に収容される。インク供給体６は、支持体２に収容された場合、上方を向く印判体５の印面５ａに当接可能な位置（インク供給位置）に配置される。
【００２３】
上述した構成からなる自動着肉式スタンプ１の組み立てについて、図３を参照して説明する。支持体２の各スリット孔１０ａ，１０ａに印判体５の各回転軸突起５ｂ，５ｂを斜めに傾けて挿通させる。印判体５の印面５ａが上向きになるような態様で、印判体５の各回転軸突起５ｂ，５ｂを外装体３の胴部３ａに設けられた各支持穴１４ａ，１４ａに挿入する。次に、支持体２の上端部開口からインク供給体６を挿入して、インク供給体６の正面略中央に設けられた突起６ｂ，６ｂを、支持体２の一端側の正面略中央に設けられた切り欠き部２ａに嵌め込むことで、インク供給体６が支持体２に装填される。さらに、印判体５の回転軸突起５ｂ，５ｂが支持体２の各スリット孔１０ａ，１０ａの上端で係止される位置（印判体５が上方を向く位置）まで外装体３の胴部３ａを持ち上げる。弾性体４をインク供給体６の弾性体収容部に挿入して、仕切り壁に当接するまで嵌挿させる。蓋部３ｂを下向きに押圧して弾性体４に付勢力を作用させ、蓋部３ｂを胴部３ａに嵌着させる。すると、弾性体４が、外装体３の蓋部３ｂとインク供給体６の弾性体収容部との間に収容されるようになる。
【００２４】
次に、上記構造の本実施形態による自動着肉式スタンプ１の使用方法を説明する。捺印する場合には、まず外装体３を上方から担持した状態で支持体２の下端部を捺印する箇所に位置決めする（位置決め状態）。この位置決め状態では、印判体５の回転軸突起５ｂ，５ｂが支持体２の各スリット孔１０ａ，１０ａの上端で係止され、印判体５の印面５ａがインク供給体６の朱肉６ａに押し付けられている（インク供給位置）。外装体３の隆起部ｒ１，ｒ２を人差し指等で押圧し外装体３に下向きの力（押圧力）を作用させて、外装体３を支持体２に対して下方向に移動させると、上向き状態であった印判体５が下方向に移動しながら反転する。外装体３の胴部３ａの他端部（下端部）を支持体２の下端部まで下動させると、印判体５が下向きとなるとともに捺印対象物と当接することで、捺印がなされる。捺印を終えて外装体３に作用させていた力（押圧力）を解除すると、弾性体４の付勢力によって外装体３が上方向に移動するとともに、印判体５が上方向に移動しながら反転する。印判体５の各回転軸突起５ｂ，５ｂが、支持体２の各スリット孔１０ａ，１０ａの上端で係止されると、印判体５が上向きとなり、支持体２に収容されたインク供給体６の朱肉６ａと当接することで、印判体５の印面５ａにインクが供給される（インク供給位置）。
【００２５】
本実施形態にかかる自動着肉式スタンプ１は、外装体３が支持体２に対して上下動するのを防止するためのロック機構７を備えることが特徴である。自動着肉式スタンプ１のロック機構７によるロック動作について、図５及び図６を用いて説明する。
【００２６】
図５に示すように、ロック機構７は、蓋部３ｂの内周面に設けられた突起３ｂ１，３ｂ１と、支持体２の下端側に設けられる第一係止溝９ａ，９ａと、支持体２の上端側に設けられる第二係止溝９ｂ，９ｂとで形成されている。第一係止溝９ａ，９ａと、第二係止溝９ｂ，９ｂとは、それぞれ、前述のガイド溝８ａ，８ａと交差する方向に連続して形成されている。また、第一係止溝９ａ，９ａ及び第二係止溝９ｂ，９ｂの幅は、それぞれ、前述の胴部３ａに形成された突起Ｐ１と突起Ｐ２との間の距離と略同幅になるように形成されている。
【００２７】
まず、印判体５がインク供給位置にある状態で、外装体３が支持体２に対してロックされる状態を、図５及び図６を用いて説明する。図５（ａ）に示すように、印判体５がインク供給位置にある状態では、突起３ｂ１は、胴部３ａの一端側（支持体２の上端側）に位置するように形成されている。蓋部３ｂを胴部３ａに対して回転させると、蓋部３ｂの突部Ｐが、胴部３ａの突起Ｐ１の位置から突起Ｐ２の位置（ＬＯＣＫの位置）まで移動される（図６（ａ））。すると、蓋部３ｂの各突起３ｂ１，３ｂ１が、支持体２の上端側の第二係止溝９ｂ，９ｂと対応した配置になり、蓋部３ｂが下方に移動しようとすると係合し、第二係止溝９ｂ，９ｂと外装体３が支持体２に対してロックされるとともに、印判体５の反転もロックされる（ロック状態）。このような状態では、弾性体４の付勢力が外装体３及び支持体２に作用した場合であっても、支持体２に対する外装体３のロック状態が維持されているため、携帯時や収納時においてロック状態が使用者の意に反して解除されることを防止することができる。このため、携帯時や収納時において、使用者の意に反して、外装体３が支持体２に対して上下動して印面５ａが露呈することを防止し、手や衣服がインクにより汚れることを防止することができる。
【００２８】
次に、インク供給体６の朱肉６ａにインクを補充する際に、外装体３が支持体２に対してロックされる状態を、図５及び図６を用いて説明する。まず、印判体５がインク供給位置にある状態で（図６（ａ））、蓋部３ｂの突部Ｐが、胴部３ａの突起Ｐ２の位置（ＬＯＣＫの位置）から突起Ｐ１の位置に達するまで、蓋部３ｂを胴部３ａに対して回転させる（図６（ｂ））。すると、第二係止溝９ｂ，９ｂに係合されていた蓋部３ｂの突起３ｂ１，３ｂ１が解除され、支持体２に対する外装体３のロック状態が解除される。次に、外装体３を支持体２に対して下方向に移動させて、胴部３ａの外装体側窓部１１と支持体２の支持体側窓部１２とが重なり合うようにする。すると、突起３ｂ１が、ガイド溝８ａを通って下方向に案内されて（図５（ｂ））、突起３ｂ１が、ガイド溝８ａの下端に達する。この状態で、上述の突部Ｐが、突起Ｐ１の位置から突起Ｐ２の位置（ＬＯＣＫの位置）に達するまで蓋部３ｂを胴部３ａに対して回転させると（図６（ｃ））、突起３ｂ１は、支持体２の下端側の第一係止溝９ａに係合される（図５（ｃ））。すると、突起３ｂ１が支持体２の下端側の第一係止溝９ａに係合された状態で、蓋部３ｂの外装体側窓部１１と支持体２の支持体側窓部１２との開放状態が維持される。自動着肉式スタンプ１を上下逆さまにして、この開口された外装体側窓部１１及び支持体側窓部１２からインク供給体６の朱肉６ａにインクを補充することが可能となる。すなわち、突起３ｂ１が、支持体２の各ガイド溝８ａを下方向に移動されるとともに、支持体２の下端側の第一係止溝９ａに係合されるまで移動されることで、外装体３の支持体２に対する移動がロックされ、印判体５の反転がロックされる。このような状態では、弾性体４の付勢力が外装体３及び支持体２に作用した場合であっても、支持体２に対する外装体３のロック状態が維持されて、外装体３が支持体２に対して上下動することを防止される。このロック状態で、外装体３の胴部３ａの外装体側窓部１１及び支持体２の支持体側窓部１２が重なり合って開放されたまま、外装体側窓部１１及び支持体側窓部１２からインク供給体６の朱肉６ａにインクを補充することが可能となる。
【００２９】
本実施形態にかかる自動着肉式スタンプ１によって、インク供給体６の朱肉６ａにインクを補充する際に、その都度スタンプ本体からインク供給体６を外してインクを補充する必要がないため、着脱動作の面倒くささを生じたり、インク供給体６を誤って落下させたりすることがない。また、スタンプ本体にインク供給体６を挿入する向きが決まっているために、インク供給体６の装着性に戸惑いを生じたりすることがない。このため、ロック機構によって重なり合って開口された外装体側窓部１１及び支持体側窓部１２から、インク供給体６の朱肉６ａにインクを安定して補充することが可能となり、自動印としての品質向上が図れるといった優れた効果を奏し得る。また、外装体３及び支持体２のそれぞれに開口された外装体側窓部１１及び支持体側窓部１２が一側面でよいため、加工しやすく軽量化が図れるといった効果がある。また、上述のように、本実施形態のロック機構７は、蓋部３ｂの内周面に設けられた突起３ｂ１，３ｂ１と、支持体２の下端側に設けられる第一係止溝９ａ，９ａと、支持体２の上端側に設けられる第二係止溝９ｂ，９ｂとで形成されている。したがって、新たなロック機構を設ける必要がないため、部品点数を増やすことがなく組付け作業性に優れているとともに、従来のように新たなロック機構を設けることによりスタンプ全体の見栄えが損なわれるようなことがなく、デザイン性に優れている。さらに、携帯時や収納時においても、使用者の意に反して、支持体２に対する外装体３のロック状態が解除されることを防止できるため、使用者の意に反して、外装体３が支持体２に対して上下動して印面が露呈することを防止し、手や衣服がインクにより汚れることを防止することができる。
【００３０】
なお、本発明は、上記実施形態に限定されるものではなく、本発明の要旨を逸脱しない範囲で適宜変更し得ることは勿論のことである。
上記実施形態においては、自動着肉式スタンプ１は略円筒形状を呈しているが、自動着肉式スタンプ１の形状はこれに限られない。例えば、自動着肉式スタンプ１の形状は略四角形状や略多角形形状などでもよい。要は、外装体３が支持体２に対して上下動することに伴って、支持体２の上端側のインク供給位置と支持体２の下端側の捺印可能位置との間で印判体５が上下動しつつ反転し、インク供給位置で印判体５がインク供給体６と当接し、捺印可能位置で印判体の印面が露出するとともに、ロック機構７によって、外装体３が支持体２に対して上下動するのを防止されるような構成であればよい。
【００３１】
上記実施形態においては、突起３ｂ１，３ｂ１が外装体３に設けられるとともに、第一係止溝９ａ，９ａと第二係止溝９ｂ，９ｂとが支持体２に設けられるように構成されているが、これに限定されるものではない。例えば、突起３ｂ１，３ｂ１が支持体２に設けられるとともに、第一係止溝９ａ，９ａと第二係止溝９ｂ，９ｂとが外装体３に設けられるように構成されてもよい。要は、突起３ｂ１，３ｂ１が、外装体３と支持体２のいずれか一方に設けられるとともに、第一係止溝９ａ，９ａと第二係止溝９ｂ，９ｂとが、外装体３と支持体２のいずれか他方に設けられて、突起３ｂ１，３ｂ１が、第一係止溝９ａ，９ａ又は第二係止溝９ｂ，９ｂに係合されることで、外装体３が支持体２に対してその上下動を防止されるような構成であればよい。
【００３２】
上記実施形態において、外装体３の胴部３ａには内外と連通する外装体側窓部１１が設けられるとともに、支持体２には、外装体３が支持体２に対して下方向に移動された場合、外装体側窓部１１と重なる支持体側窓部１２が設けられているが、これに限定されるものではない。例えば、外装体３と支持体２のそれぞれに、窓部の代わりに穴部が設けられるような構成であってもよい。要は、外装体３が支持体２に対して下方向に移動されて、外装体３の穴部が支持体２の穴部と重なり合った場合、ロック機構７によって、外装体３が支持体２に対して上下動するのを防止され、重なり合った穴部からインク供給体６の朱肉６ａにインクが補充されるような構成であればよい。
【００３３】
上記実施形態においては、ロック機構７として、突起３ｂ１，３ｂ１、第一係止溝９ａ，９ａ、及び第二係止溝９ｂ，９ｂがそれぞれ二つ設けられるような構成としたが、これに限定されるものではない。突起、第一係止溝及び第二係止溝がそれぞれ複数個設けられるような構成であってもよい。要は、突起、第一係止溝及び第二係止溝がそれぞれ同数個設けられて、突起がガイド溝を上下方向に案内され、第一係止溝又は第二係止溝に係合されることで、外装体が支持体に対してロックされ、外装体側窓部と支持体側窓部とが重なったまま開放されるような構成であればよい。
【００３４】
上記実施形態においては、蓋部３ｂを胴部３ａに対して時計回りに回動することで、外装体３を支持体２に対してロックするとともに、印判体５の反転をロックする構成としたが、これに限定されるものではない。例えば、蓋部３ｂを胴部３ａに対して反時計回りに回動することで、外装体３を支持体２に対してロックするとともに、印判体５の反転をロックする構成であってもよい。この場合、第一係止溝及び第二係止溝を、本実施形態の第一係止溝９ａ，９ａ及び第二係止溝９ｂ，９ｂと逆向きに形成する必要がある。
【符号の説明】
【００３５】
１…自動着肉式スタンプ、２…支持体、２ａ…切り欠き部、３…外装体、３ａ…胴部、３ｂ…蓋部、３ｂ１，３ｂ１…突起、４…弾性体、５…印判体、５ａ…印面、５ｂ…回転軸突起、５ｃ…回転凸部、５ｄ…リブ、６…インク供給体、６ａ…朱肉、６ｂ，６ｂ…突起、７…ロック機構、８ａ，８ａ…ガイド溝、９ａ，９ａ…第一係止溝、９ｂ，９ｂ…第二係止溝、１０ａ，１０ａ…スリット孔、１１…外装体側窓部、１２…支持体側窓部、１３，１３…回動機構、１３ａ，１３ａ…干渉凸部、１３ｂ、１３ｂ…凹部、１４ａ，１４ａ…支持穴、Ｐ…突部、Ｐ１，Ｐ２…突起、隆起部ｒ１、ｒ２
【図１】
0005450252.tif 000002
【図２】
0005450252.tif 000003
【図３】
0005450252.tif 000004
【図４】
0005450252.tif 000005
【図５】
0005450252.tif 000006
【図６】
0005450252.tif 000007